(57)【特許請求の範囲】
【請求項１】
魚釣りに用いる釣竿であって、
竿体と、
前記竿体周面に固定され、穂先側外周に雄ねじ部を有する略筒状のリールシート本体と、
前記雄ねじ部に螺合しつつ前記雄ねじ部上を軸方向に移動自在に配置されたナット部を有するリールシートと、
前記リールシートの穂先側の前記竿体周面に隣接して巻回され、前記ナット部が周面上を軸方向に移動可能な巻糸に合成樹脂塗剤を含浸して竿体と密着固化して形成されるスペースと、
前記スペースの穂先側に配置され、前記雄ねじ部より大径化しているグリップとを備え、
前記スペースは、雄ねじ部と前記グリップとの間において、前記ナット部が、前記雄ねじ部上の最も穂先側まで移動できるように形成されている
ことを特徴とする釣竿。
【請求項２】
前記スペースは、前記雄ねじ部と面一に形成されている、請求項１に記載の釣竿。
【請求項３】
前記スペースは、軸方向長さが20〜40mmである、請求項１または２に記載の釣竿。
【発明の詳細な説明】
【０００１】
【発明の属する技術分野】
本発明は、魚釣りに用いる釣竿、特に「ナット式」と呼ばれるナット部材を竿体上で軸方向に螺合させつつ移動させて締め込んでリール脚部をリールシートに装着するリールシートを有する釣竿に関する。
【０００２】
【従来の技術】
釣竿には、スピニングリール，両軸受けリール等の釣り用リールを取り付けるためのリールシートが設けられている。従来のリールシートでナット式と呼ばれるリールシートは、釣り用リールの脚部の一端を係止する固定フードと雄ねじとを有する本体部と、移動シート部と、ナット部とを有している。この移動シート部はリールの脚部の他端を係止する移動フード部を有し、シート本体に対して相対移動可能である。ナット部は雄ねじ部に螺合して移動シート部を移動させる。
【０００３】
このようなリールシートでは、リールの脚部の一端を本体部の固定フードに係止した状態でナット部を回転させて、移動シート部を固定フードに接近させて、移動シート部の移動フードでリールの脚部の他端を係止して、固定フード及び移動フードでリールの脚部を挟持してリールを釣竿に固定している。
ところで、従来の釣竿には、このようなナット式リールシートの穂先側にフロントグリップと呼ばれるグリップ部材を備えたものがある。一般にフロントグリップは雄ねじ部より大径化しているところ、このような釣竿においては、ナット部が最も穂先側まで雄ねじ部上を移動できるように雄ねじ部とフロントグリップとの間にスペースを確保する必要がある。そこで、図３に示すように、従来の釣竿では、雄ねじ部５０とフロントグリップ５１との間に金属または合成樹脂からなるパイプ状のスペーサ５２を配置している。そして、雄ねじ部５０螺合するナット部５３が雄ねじ部５０の最も穂先側まで移動できるようになっている。
【０００４】
【発明が解決しようとする課題】
しかし、このようなスペーサを配置する従来の釣竿では、釣竿を組み立てる際のパーツ数が増加することになり、またスペーサの径及び軸方向長さを竿体乃至ナット部と精密に整合させる必要があり、製造作業が繁雑になる。
本発明の課題は、簡易に製造可能なナット式のリールシートを有する釣竿を提供することにある。
【０００５】
【課題を解決するための手段】
発明１にかかる釣竿は、魚釣りに用いる釣竿であって、竿体と、竿体周面に固定され穂先側外周に雄ねじ部を有する略筒状のリールシート本体と、雄ねじ部に螺合しつつ雄ねじ部上を軸方向に移動自在に配置されたナット部を有するリールシートと、リールシートの穂先側の前記竿体周面に隣接して巻回されナット部が周面上を軸方向に移動可能な巻糸に合成樹脂塗剤を含浸して竿体と密着固化して形成されるスペースと、スペースの穂先側に配置され、雄ねじ部より大径化しているグリップとを備え、前記スペースは、雄ねじ部と前記グリップとの間において、前記ナット部が、前記雄ねじ部上の最も穂先側まで移動できるように形成されていることを特徴とする。
【０００６】
この釣竿では、ナット部を雄ねじ部に螺合させつつリールシート本体方向に移動させてリールの脚部をリールシート本体に装着する。そして、リールをリールシートから取り外す場合にはナット部を雄ねじ部に螺合させつつ穂先側に移動させる。
ここで、雄ねじ部とグリップとの間の竿体周面上には巻糸が巻回され、この巻糸上をナット部が軸方向へ移動自在であるところナット部が雄ねじ部上を最も穂先側まで移動するために必要なスペースを担保している。そして、この巻糸は合成樹脂塗剤によって十分に硬化され強化されている。このように竿体上に巻糸を巻回するという簡易な方法でナット部の移動スペースを確保することができ、製造作業がきわめて容易になる。
【０００７】
発明２にかかる釣竿は、発明１の釣竿であって、巻糸及び塗剤は雄ねじ部と面一に形成されている。
この場合には、巻糸及び塗剤が雄ねじ部と面一化されており、段差なく雄ねじ部の軸方向移動が容易にスムーズになると共に外観にも優れる。
発明３にかかる釣竿は、発明１または２の釣竿であって、巻糸及び塗剤は軸方向長さが20〜40mmである。
【０００８】
この場合には所定の軸方向長さにわたって巻糸乃至塗剤がグリップと雄ねじ部との間のスペースを確保するので、ナット部の軸方向移動が十分に担保できる。
【０００９】
【発明の実施の形態】
以下、本発明の一実施形態について、図面を参照しつつ説明する。
本発明の一実施形態を採用した釣竿は、複数の筒状体を順次連結してなる竿体１と、竿体１の竿元側端部にはめ込まれた竿元グリップ２と、竿元グリップ２の穂先側に配置されリール（図示せず）を脱着自在に装着可能なリールシート３と、リールシート３の穂先側に配置されたフロントグリップ４と、リールシート３とフロントグリップ４との間の竿体１周面上に配置された巻糸５とを有している。また、竿体１上には間隔を隔てて複数の釣糸ガイド６が配置されており、リールからの釣糸は順次釣糸ガイド６を介して穂先側に導かれる。
【００１０】
竿体１は、炭素繊維乃至ガラス繊維に熱硬化性樹脂を含浸させたプリプレグから構成される先細り筒状部材である。また、竿元グリップ２及びフロントグリップ４はブタジエンゴムやスチレンゴム等の弾性合成樹脂からなる筒状部材であり竿体１にはめ込まれて固定されている。
リールシート３は、竿体１の外周に装着された本体部１０と、移動シート部１１と、ナット部１２とを有している。本体部１０は、内部に釣竿の竿体１が貫通して装着される合成樹脂または金属からなる変形筒状部材である。本体部１０は竿元側端部に設けられリールの脚部の一端を係止するための固定フード10aと、固定フード10aの穂先側に平坦に形成され脚部を載置するための載置部10bとを有する。この固定フード10aは竿元側外周において載置部10bの竿元側から上方を覆うように載置部と一体的に形成されている。一方、本体部１０の穂先側周面には雄ねじ部１０ｃが形成されている。また、雄ねじ部１０ｃの左右両側面には、移動シート１１を回転不能に係止するための係止溝（図示せず）が形成されている。移動シート部１１は、内径が本体部１０の外径にほぼ一致する筒状の部材であって、本体部１０の外周を軸方向に移動可能である。
【００１１】
移動シート部１１は、本体部１０の外周を周方向に回転しないように係止溝に係止される係止突起（図示せず）と、固定フード10aに対向して配置されリールの脚部の他端を覆いながら係止可能な移動フード11aとを有している（図２参照）。移動フード11aにはリールの脚部の他端側が挿入可能になっている。また、ナット部１２は、円筒型部材であって、雄ねじ部１０ｃに螺合して軸方向に移動自在になっている。
【００１２】
巻糸５は雄ねじ部10ｃの穂先側の竿体１の外周面に巻回されている。この巻糸５はナイロン等の合成樹脂から構成された糸材を撚糸化したものであり、螺旋状に竿体１に巻回される。軸方向長さがおよそ２０〜４０mm程度に巻回され、周方向の高さは雄ねじ部１０ｃの周面とほぼ面一になるように巻回されている。そして、この巻糸５には巻回後エポキシ樹脂等の合成樹脂が含浸され固化されており、巻糸５同士及び竿体１と巻糸５とを密着固化させている。
【００１３】
このように構成された釣竿では、リールの脚部の一端を固定フード10aに係止し、ナット部１２を雄ねじ部１０ｃに螺合させつつリールシート３の固定フード10a方向に移動させてリールの脚部の他端を移動フード11aに係止して、この両者でリールの脚部を挟み込んでリールをリールシート３に装着する。一方で、リールをリールシート３から取り外す場合にはナット部１２を雄ねじ部１０ｃに螺合させつつ穂先側に移動させて、移動フード11aのリール脚部への係止を解除する。この際、大きなリールを取り付ける場合には、ナット部１２を最大限穂先側に移動させて移動フード11aと固定フード10aとの間の距離を広げる必要がある。ここで、雄ねじ部１０ｃとフロントグリップ４との間の竿体１周面上には巻糸５が巻回され、この巻糸５上をナット部１２が軸方向へ移動自在であるところナット部１２が雄ねじ部１０C上を最も穂先側まで移動するために必要なスペースを担保している。
【００１４】
このように竿体１上に巻糸５を巻回するという簡易な方法でナット部１２の移動スペースを確保することができ、製造作業がきわめて容易になる。また、巻糸５及び合成樹脂塗剤が雄ねじ部１０ｃと面一化されており、段差なくナット部１２の軸方向移動が容易にスムーズになると共に外観にも優れる。
［他の実施形態］
（ａ）巻糸を巻回する軸方向長さは竿体の長さに合わせて任意に設定できる。
【００１５】
【発明の効果】
本発明によれば、ナット式のリールシートを有する釣竿を簡易な方法で製造可能である。
【図面の簡単な説明】
【図１】本発明の一実施形態を採用した釣竿の全体図。
【図２】図１のリールシート付近の拡大図。
【図３】従来の釣竿のリールシート付近を示した図。
【符号の説明】
１  竿体
３  リールシート
４  フロントグリップ
５  巻糸
１０c  雄ねじ部
１２  ナット部
【図１】
0004354087.tif 000002
【図２】
0004354087.tif 000003
【図３】
0004354087.tif 000004